(57)【要約】【課題】狭額縁化が可能な表示装置を提供する。【解決手段】液晶パネルと、前記液晶パネルを照明する照明装置と、を備え、前記照明装置は、前記液晶パネルに対向する第１主面と、前記第１主面の反対側の第２主面と、前記第１主面と前記第２主面との間に位置する側面と、を有する導光板と、前記第２主面に対向する底部と、前記側面に対向する第１面及び前記第１面の反対側の第２面を有する第１壁部と、を備えるケースと、前記側面と前記第１面との間に位置する光源と、前記第１壁部に重なる端部を有し、前記光源が実装された配線基板と、前記液晶パネルと前記配線基板との間に位置する遮光両面テープと、前記遮光両面テープと前記配線基板との間に位置し、前記遮光両面テープに粘着され、前記第１壁部と前記端部との間隙を覆い、前記第２面に粘着する遮光片面テープと、を備えている表示装置。【選択図】      図３
2020201456.tif 000002
【特許請求の範囲】
【請求項１】
液晶パネルと、
前記液晶パネルを照明する照明装置と、を備え、
前記照明装置は、
前記液晶パネルに対向する第１主面と、前記第１主面の反対側の第２主面と、前記第１主面と前記第２主面との間に位置する側面と、を有する導光板と、
前記第２主面に対向する底部と、前記側面に対向する第１面及び前記第１面の反対側の第２面を有する第１壁部と、を備えるケースと、
前記側面と前記第１面との間に位置する光源と、
前記第１壁部に重なる端部を有し、前記光源が実装された配線基板と、
前記液晶パネルと前記配線基板との間に位置する遮光両面テープと、
前記遮光両面テープと前記配線基板との間に位置し、前記遮光両面テープに粘着され、前記第１壁部と前記端部との間隙を覆い、前記第２面に粘着する遮光片面テープと、を備えている表示装置。
【請求項２】
液晶パネルと、
前記液晶パネルを照明する照明装置と、を備え、
前記照明装置は、
前記液晶パネルに対向する第１主面と、前記第１主面の反対側の第２主面と、前記第１主面と前記第２主面との間に位置する側面と、を有する導光板と、
前記第２主面に対向する底部と、前記側面に対向する第１面及び前記第１面の反対側の第２面を有する第１壁部と、を備えるケースと、
前記側面と前記第１面との間に位置する光源と、
前記第１壁部に重なる端部を有し、前記光源が実装された配線基板と
前記液晶パネルと前記配線基板との間に位置し、前記第１壁部と前記端部との間隙を覆い、前記第２面に粘着する遮光両面テープと、を備えている表示装置。
【請求項３】
前記照明装置は、さらに、前記第２面に対向し、前記遮光両面テープに粘着されたフィルムを備え、
前記遮光両面テープは、前記フィルムと前記第２面との間に位置している請求項２に記載の表示装置。
【請求項４】
前記ケースは、前記第１壁部の反対側に位置する第２壁部と、前記第１壁部と前記第２壁部との間に位置する第３壁部及び第４壁部を備え、
前記照明装置は、さらに、前記側面と前記第２壁部乃至前記第４壁部のそれぞれとの間に延出し、前記ケースと前記導光板との間において幅を有するフレームを備え、
前記光源と前記第１面との間隔は、前記幅より小さい請求項１乃至３の何れか１項に記載の表示装置。
【請求項５】
前記第１壁部は、前記第１面と前記第２面との間に位置する第３面を有し、
前記照明装置は、さらに、前記端部と前記第３面との間に位置し、前記第３面から離れているスペーサを備えている請求項４に記載の表示装置。
【請求項６】
前記照明装置は、さらに、前記第１面に設けられ、前記光源に対向する絶縁材を備えている請求項４に記載の表示装置。
【発明の詳細な説明】
【技術分野】
【０００１】
本発明の実施形態は、表示装置に関する。
【背景技術】
【０００２】
近年、ＬＥＤ（発光ダイオード）を照明装置の光源に使用する液晶表示装置が実用化されている。携帯電話等に使用される小型の液晶表示装置では、表示装置の厚さを小さくするために、導光板の側面から光を入射させるサイドビュー方式の照明装置が使用されている。
【先行技術文献】
【特許文献】
【０００３】
【特許文献１】特開２０１５−７２７９４号公報
【発明の概要】
【発明が解決しようとする課題】
【０００４】
本実施形態の目的は、狭額縁化が可能な照明装置及びそれを組み込んだ表示装置を提供することにある。
【課題を解決するための手段】
【０００５】
本実施形態によれば、
液晶パネルと、前記液晶パネルを照明する照明装置と、を備え、前記照明装置は、前記液晶パネルに対向する第１主面と、前記第１主面の反対側の第２主面と、前記第１主面と前記第２主面との間に位置する側面と、を有する導光板と、前記第２主面に対向する底部と、前記側面に対向する第１面及び前記第１面の反対側の第２面を有する第１壁部と、を備えるケースと、前記側面と前記第１面との間に位置する光源と、前記第１壁部に重なる端部を有し、前記光源が実装された配線基板と、前記液晶パネルと前記配線基板との間に位置する遮光両面テープと、前記遮光両面テープと前記配線基板との間に位置し、前記遮光両面テープに粘着され、前記第１壁部と前記端部との間隙を覆い、前記第２面に粘着する遮光片面テープと、を備えている表示装置が提供される。
【０００６】
本実施形態によれば、
液晶パネルと、前記液晶パネルを照明する照明装置と、を備え、前記照明装置は、前記液晶パネルに対向する第１主面と、前記第１主面の反対側の第２主面と、前記第１主面と前記第２主面との間に位置する側面と、を有する導光板と、前記第２主面に対向する底部と、前記側面に対向する第１面及び前記第１面の反対側の第２面を有する第１壁部と、を備えるケースと、前記側面と前記第１面との間に位置する光源と、前記第１壁部に重なる端部を有し、前記光源が実装された配線基板と、前記液晶パネルと前記配線基板との間に位置し、前記第１壁部と前記端部との間隙を覆い、前記第２面に粘着する遮光両面テープと、を備えている表示装置が提供される。
【図面の簡単な説明】
【０００７】
【図１】図１は、一実施形態の照明装置を備えた表示装置の一構成例を示す分解斜視図である。
【図２】図２は、図１に示した照明装置の第１構成例を示す平面図である。
【図３】図３は、図２に示したＡ−Ｂ線に沿った照明装置の断面図である。
【図４】図４は、図２に示したＣ−Ｄ線に沿った照明装置の断面図である。
【図５】図５は、図２に示したＥ−Ｆ線に沿った照明装置の断面図である。
【図６】図６は、本実施形態の照明装置の第１構成例の変形例を示す断面図である。
【図７】図７は、本実施形態の照明装置の第２構成例を示す断面図である。
【図８】図８は、本実施形態の照明装置の第２構成例の変形例を示す断面図である。
【図９】図９は、図１に示した液晶パネルの一構成例を示す平面図である。
【図１０】図１０は、図９に示した液晶パネルの断面図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、一実施形態の照明装置ＩＬを備えた表示装置ＤＳＰの一構成例を示す分解斜視図である。  
図１に示すように、第１方向Ｘ、第２方向Ｙ、及び、第３方向Ｚは、互いに直交しているが、９０度以外の角度で交差していてもよい。
【００１０】
照明装置ＩＬは、導光板ＬＧと、複数の光源ＥＭ１と、ケースＣＳと、を備えている。このような照明装置ＩＬは、例えば、図１において破線で簡略化して示す液晶パネルＰＮＬを照明するものである。
【００１１】
導光板ＬＧは、第１方向Ｘ及び第２方向Ｙによって規定されるＸ−Ｙ平面と平行な平板状に形成されている。導光板ＬＧは、主面１Ａと、主面１Ａの反対側の主面１Ｂと、主面１Ａと主面１Ｂとの間に位置する側面１Ｓと、を有している。主面１Ａ及び２Ｂは、例えば、Ｘ−Ｙ平面と平行な面である。主面１Ｂは液晶パネルＰＮＬに対向している。図示した例では、導光板ＬＧは、第２方向Ｙに突出した複数の突出部ＬＧＥを有している。各突出部ＬＧＥは、第１方向Ｘに沿って間隔をおいて並んでいる。
【００１２】
複数の光源ＥＭ１は、第１方向Ｘに沿って間隔をおいて並んでいる。図示した例では、光源ＥＭ１の個数は７個であるが、光源ＥＭ１の個数は複数であればよい。光源ＥＭ１の各々は、配線基板Ｆ１に実装され、配線基板Ｆ１と電気的に接続されている。配線基板Ｆ１は、例えば、折り曲げ可能なフレキシブルプリント基板である。
【００１３】
ケースＣＳは、導光板ＬＧ及び光源ＥＭ１を収容している。ケースＣＳは、例えば、ステンレスなどの金属によって形成されている。ケースＣＳは、壁部Ｗ１乃至Ｗ４と、底部ＢＰと、を有している。壁部Ｗ１及びＷ２は、第１方向Ｘに沿って延出し、互いに対向している。壁部Ｗ３及びＷ４は、第２方向Ｙに沿って延出し、互いに対向している。壁部Ｗ１は、面Ｗ１１と、面Ｗ１１の反対側の面Ｗ１２と、面Ｗ１１と面Ｗ１２との間に位置する面Ｗ１３と、を有している。面Ｗ１１及びＷ１２は、例えば、第１方向Ｘ及び第３方向Ｚによって規定されるＸ−Ｚ平面と平行な面である。面Ｗ１１は壁部Ｗ２に対向している。面Ｗ１３は、例えば、Ｘ−Ｙ平面と平行な面である。底部ＢＰは、主面１Ａに対向している。
【００１４】
遮光両面テープＤＦ１は、面ＤＦＡと、面ＤＦＡの反対側の面ＤＦＢと、開口部ＯＰ１と、を有している。面ＤＦＡは配線基板Ｆ１及びケースＣＳに対向し、面ＤＦＢは液晶パネルＰＮＬに対向している。面ＤＦＡ及びＤＦＢは、それぞれ粘着面である。遮光両面テープＤＦ１は、例えば、光を遮蔽し、両面に粘着面を有する両面テープである。遮光両面テープＤＦ１は、液晶パネルＰＮＬ及び照明装置ＩＬのそれぞれに粘着している。
【００１５】
図２は、図１に示した照明装置ＩＬの第１構成例を示す平面図である。なお、配線基板Ｆ１の図示を省略している。  
図２に示すように、照明装置ＩＬは、さらにフレームＦＲを備えている。図２において、遮光両面テープＤＦ１は斜線で示している。
【００１６】
フレームＦＲは、例えば、樹脂材料によって形成されている。フレームＦＲは、側面１Ｓと壁部Ｗ３との間において第２方向Ｙに延出し、側面１Ｓと壁部Ｗ２との間において第１方向Ｘに延出し、側面１Ｓと壁部Ｗ４との間において第２方向Ｙに延出している。なお、フレームＦＲは、側面１Ｓと壁部Ｗ１との間には延出していない。フレームＦＲは、ケースＣＳと導光板ＬＧとの間において、幅ＷＦを有している。幅ＷＦは、側面１Ｓと壁部Ｗ３との間でのフレームＦＲの第１方向Ｘにおける最大の長さ、側面１Ｓと壁部Ｗ２との間でのフレームＦＲの第２方向Ｙにおける最大の長さ、及び側面１Ｓと壁部Ｗ４との間でのフレームＦＲの第１方向Ｘにおける最大の長さのそれぞれに相当する。一例として、幅ＷＦは約６０μｍである。図示した例では、フレームＦＲは、壁部Ｗ２乃至Ｗ４のそれぞれに接しているが、それぞれから離れてもよい。フレームＦＲは、側面１Ｓから離れている。
【００１７】
光源ＥＭ１は、平面視で、隣り合う２つの突出部ＬＧＥの間に位置し、側面１Ｓと面Ｗ１１との間に位置している。光源ＥＭ１は、側面１Ｓに接している。第２方向Ｙにおける光源ＥＭ１と面Ｗ１１との間隔Ｄ１は、幅ＷＦより小さい。一例として、間隔Ｄ１は約３０μｍである。
【００１８】
遮光両面テープＤＦ１は、平面視で、壁部Ｗ１乃至Ｗ４のそれぞれと重なり、各光源ＥＭ１と、フレームＦＲと、導光板ＬＧの側面１Ｓと、を覆っている。
【００１９】
図３は、図２に示したＡ−Ｂ線に沿った照明装置ＩＬの断面図である。  
図３に示すように、照明装置ＩＬは、さらに、テープＴＰ１乃至ＴＰ３と、両面テープＤＦ２と、スペーサＳＰ１及びＳＰ２と、反射シートＲＳと、拡散シートＳＳと、プリズムシートＰＳ１及びＰＳ２と、を備えている。
【００２０】
配線基板Ｆ１は、端部ＦＥ１と、端部ＦＥ１の反対側の端部ＦＥ２とを有している。端部ＦＥ１は壁部Ｗ１に重なり、端部ＦＥ２は導光板ＬＧに重なっている。両面テープＤＦ２及びスペーサＳＰ２は、面Ｗ１３と端部ＦＥ１との間に位置している。スペーサＳＰ２は、例えば、樹脂材料によって形成されている。両面テープＤＦ２は、例えば、両面に粘着面を有する両面テープである。両面テープＤＦ２は、端部ＦＥ１及びスペーサＳＰ２のそれぞれに粘着している。スペーサＳＰ２は、面Ｗ１３から離れている。
【００２１】
スペーサＳＰ１及びテープＴＰ１は、配線基板Ｆ１と遮光両面テープＤＦ１との間に位置している。スペーサＳＰ１は配線基板Ｆ１に設けられている。スペーサＳＰ１は、例えば、樹脂材料によって形成されている。テープＴＰ１は、面ＴＡと、面ＴＡの反対側の面ＴＢと、を有している。テープＴＰ１は、例えば、光を遮蔽し、面ＴＡが粘着面である遮光片面テープである。面ＴＢは面ＤＦＡに接している。テープＴＰ１は、面ＴＢにおいて、遮光両面テープＤＦ１に粘着されている。テープＴＰ１は、面ＴＡにおいて、スペーサＳＰ１及び壁部Ｗ１の面Ｗ１２のそれぞれに粘着している。これにより、配線基板Ｆ１はテープＴＰ１を介してケースＣＳに支持されるように構成され、光源ＥＭ１及び導光板ＬＧが固定される。図示した例では、テープＴＰ１は、配線基板Ｆ１の端部ＦＥ１と壁部Ｗ１の面Ｗ１３との間隙ＧＡを覆っている。間隙ＧＡは、第３方向Ｚにおける端部ＦＥ１と面Ｗ１３との間の領域に相当する。テープＴＰ１の厚さＴ１は、遮光両面テープＤＦ１の厚さＴ２より小さい。一例として、厚さＴ１は約３０μｍであり、厚さＴ２は約６０μｍである。
【００２２】
テープＴＰ２及びＴＰ３は、例えば、絶縁性を有し、片面に粘着面を有する片面テープである。テープＴＰ２は、光源ＥＭ１と壁部Ｗ１との間に位置し、光源ＥＭ１に対向し、面Ｗ１１に粘着している。テープＴＰ２は、例えば、第１方向Ｘに延出した帯状に形成されている。テープＴＰ３は、光源ＥＭ１と底部ＢＰとの間に位置し、底部ＢＰに粘着している。
【００２３】
反射シートＲＳ、導光板ＬＧ、拡散シートＳＳ、プリズムシートＰＳ１及びＰＳ２は、第３方向Ｚに沿ってこの順に配置されている。反射シートＲＳは、底部ＢＰに設けられている。図示した例では、主面１Ａと反射シートＲＳとは離れているが、接していてもよい。拡散シートＳＳは主面１Ｂに設けられている。プリズムシートＰＳ１及びＰＳ２は、拡散シートＳＳの上に積層されている。プリズムシートＰＳ２は、遮光両面テープＤＦ１の面ＤＦＡに接している面ＰＢを有している。図示した例では、第３方向Ｚにおいて、スペーサＳＰ１の厚さを調整することによって、面ＴＢと面ＰＢとは略同一平面上に位置している。
【００２４】
光源ＥＭ１は、例えば、ＬＥＤであり、白色の照明光を出射する。光源ＥＭ１は、側面１Ｓに接する発光面ＥＦを有している。図示した例では、光源ＥＭ１は、光源ＥＭ１が配線基板Ｆ１に実装される面と発光面ＥＦとが直交した、サイドビュー型のＬＥＤである。発光面ＥＦから出射された光は、側面１Ｓから導光板ＬＧへ入射し、第２方向Ｙを示す矢印の向きに沿って導光板ＬＧ内を進行する。導光板ＬＧ内を進行していく光のうち主面１Ｂから出射された光は、拡散シートＳＳで拡散され輝度が均一化され、プリズムシートＰＳ１及びＰＳ２によって図１に示した液晶パネルＰＮＬの方向に集光される。集光された光は、液晶パネルＰＮＬが開口部ＯＰ１に重なる領域において、液晶パネルＰＮＬを照明する。導光板ＬＧ内を進行していく光のうち主面１Ａから出射された光は、反射シートＲＳによって反射され、主面１Ａから導光板ＬＧに再び入射される。
【００２５】
図４は、図２に示したＣ−Ｄ線に沿った照明装置ＩＬの断面図である。  
図４に示すように、照明装置ＩＬは、さらに、テープＴＰ３と突出部ＬＧＥとの間に位置するテープＴＰ４を備えている。
【００２６】
テープＴＰ４は、例えば、テープＴＰ３に接する面に粘着面を有する片面テープである。テープＴＰ４は、光源ＥＭ１とテープＴＰ３との間には設けられていない。また、光源ＥＭ１は、突出部ＬＧＥ及びテープＴＰ３のそれぞれから離れている。例えば、外部から照明装置ＩＬに押圧力が加わった場合に、光源ＥＭ１と他の部材との接触により、光源ＥＭ１に荷重が加わるのを抑制することができる。突出部ＬＧＥは、テープＴＰ４に接している。両面テープＤＦ２は、突出部ＬＧＥ及び配線基板Ｆ１のそれぞれに粘着している。配線基板Ｆ１は、突出部ＬＧＥとテープＴＰ１とに挟持され固定されている。図示した例では、遮光両面テープＤＦ１、テープＴＰ１、スペーサＳＰ１及び配線基板Ｆ１は、それぞれ第１方向Ｘに延出し、光源ＥＭ１を覆っている。
【００２７】
図５は、図２に示したＥ−Ｆ線に沿った照明装置ＩＬの断面図である。  
図５に示すように、遮光両面テープＤＦ１は、面ＤＦＡにおいて、フレームＦＲに粘着している。遮光両面テープＤＦ１がフレームＦＲに粘着することによって、導光板ＬＧはフレームＦＲに支持されるように構成されている。図示した例では、フレームＦＲは、底部ＢＰの上に設けられ、側面１Ｓに対向し、壁部Ｗ３に接している。
【００２８】
上記した構成例において、主面１Ｂは第１主面に相当し、主面１Ａは第２主面に相当し、端部ＦＥ１は端部に相当し、壁部Ｗ１乃至Ｗ４はそれぞれ第１壁部乃至第４壁部に相当し、面Ｗ１１乃至Ｗ１３はそれぞれ第１面乃至第３面に相当する。
【００２９】
本実施形態によれば、テープＴＰ１が壁部Ｗ１の面Ｗ１２及びスペーサＳＰ１のそれぞれに粘着することによって、配線基板Ｆ１がケースＣＳに支持されるよう構成され、光源ＥＭ１と壁部Ｗ１との間にはフレームＦＲが設けられていないため、光源ＥＭ１と壁部Ｗ１との間隔Ｄ１はフレームＦＲの幅ＷＦより小さい。光源ＥＭ１と壁部Ｗ１との間にフレームＦＲが設けられた場合と比較して、光源ＥＭ１と壁部Ｗ１との間隔Ｄ１を狭くすることができる。さらに、テープＴＰ１の厚さＴ１は約０．３μｍであるため、照明装置ＩＬの狭額縁化をすることができる。
【００３０】
また、テープＴＰ２は絶縁性を有し、光源ＥＭ１と壁部Ｗ１の面Ｗ１１との間に位置している。これにより、光源ＥＭ１と壁部Ｗ１との間にフレームＦＲがないため、光源ＥＭ１とケースＣＳとが接触し、光源ＥＭ１とケースＣＳとの間でショートし、光源ＥＭ１が不点灯になることを抑制することができる。さらに、スペーサＳＰ２は絶縁性を有し、配線基板Ｆ１と壁部Ｗ１の面Ｗ１３との間に位置しているため、配線基板Ｆ１と金属製のケースＣＳとが接触し配線基板Ｆ１とケースＣＳとの間でショートすることを抑制することができる。さらに、スペーサＳＰ２が配線基板Ｆ１に接着されているため、組み立て作業時に配線基板Ｆ１が折れ曲がるのを防止することができる。
【００３１】
また、テープＴＰ１は、遮光性を有し、配線基板Ｆ１の端部ＦＥ１と壁部Ｗ１の面Ｗ１３との間隙ＧＡを覆っている。これにより、光源ＥＭ１から出射された光が間隙ＧＡを進行し、照明装置ＩＬからの不所望な光漏れが生じることを抑制することができる。
【００３２】
図６は、本実施形態の照明装置ＩＬの第１構成例の変形例を示す断面図である。  
図６に示すように、第１構成例の変形例は、上記第１構成例と比較して、面Ｗ１１にテープＴＰ２がなく、照明装置ＩＬがコーティング層ＣＯを備えている点で相違している。コーティング層ＣＯは、光源ＥＭ１と面Ｗ１１との間に位置している。図示した例では、コーティング層ＣＯは面Ｗ１１の略全域及び底部ＢＰの略全域にわたって連続して設けられている。テープＴＰ３及び反射シートＲＳは、コーティング層ＣＯの上に設けられている。コーティング層ＣＯは、例えば、樹脂などの絶縁材によって形成されている。  
このような変形例においても、上記第１構成例と同様の効果が得られる。
【００３３】
図７は、本実施形態の照明装置ＩＬの第２構成例を示す断面図である。  
図７に示すように、第２構成例は、上記第１構成例と比較して、テープＴＰ１がなく、遮光両面テープＤＦ１が、スペーサＳＰ１に粘着し、間隙ＧＡを覆い、壁部Ｗ１の面Ｗ１２側まで延伸し、面Ｗ１２に粘着している点で相違している。図示した例では、面ＤＦＡは面Ｗ１２に接している。
【００３４】
このような第２構成例においても、上記第１構成例と同様の効果が得られる。加えて、遮光両面テープＤＦ１と配線基板Ｆ１との間にはテープＴＰ１がないため、部材点数を削減することができ、製造コストの削減及び組み立て作業性の向上が可能となる。
【００３５】
図８は、本実施形態の照明装置ＩＬの第２構成例の変形例を示す断面図である。  
図８に示すように、第２構成例の変形例は、上記第２構成例と比較して、照明装置ＩＬがフィルムＧＦを備えている点で相違している。フィルムＧＦは、面Ｗ１２に対向し、面ＤＦＢにおいて遮光両面テープＤＦ１に粘着されている。なお、フィルムＧＦは、面ＤＦＢのうち液晶パネルＰＮＬに接しない領域を覆っていることが好ましい。フィルムＧＦは、例えば、ポリエチレンテレフタレート（ＰＥＴ）などの樹脂によって形成された絶縁材であり、粘着面を有していない。図示した例では、遮光両面テープＤＦ１はフィルムＧＦと面Ｗ１２との間に位置している。
【００３６】
このような第２構成例の変形例においても、上記第１構成例と同様の効果が得られる。加えて、フィルムＧＦが遮光両面テープＤＦ１に粘着されているため、遮光両面テープＤＦ１に異物が付着するのを抑制することができる。さらに、フィルムＧＦが、面ＤＦＢのうち液晶パネルＰＮＬに接しない領域を覆っていると、遮光両面テープＤＦ１に異物が付着するのをより抑制することができる。
【００３７】
図９は、図１に示した液晶パネルＰＮＬの一構成例を示す平面図である。  
図９に示すように、液晶パネルＰＮＬは、第１基板ＳＵＢ１と、第２基板ＳＵＢ２と、液晶層ＬＣと、シールＳＥと、を備えている。第１基板ＳＵＢ１及び第２基板ＳＵＢ２は、Ｘ−Ｙ平面と平行な平板状に形成されている。第１基板ＳＵＢ１及び第２基板ＳＵＢ２は、平面視で、重畳している。第１基板ＳＵＢ１及び第２基板ＳＵＢ２は、シールＳＥによって接着されている。液晶層ＬＣは、第１基板ＳＵＢ１と第２基板ＳＵＢ２との間に保持され、シールＳＥによって封止されている。図９において、液晶層ＬＣ及びシールＳＥは、異なる斜線で示している。
【００３８】
液晶パネルＰＮＬは、画像を表示する表示部ＤＡと、表示部ＤＡを囲む額縁状の非表示部ＮＤＡと、を備えている。シールＳＥは、非表示部ＮＤＡに位置している。表示部ＤＡは、第１方向Ｘ及び第２方向Ｙにマトリクス状に配列された画素ＰＸを備えている。
【００３９】
図９において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと電気的に接続されている。信号線Ｓは、第２方向Ｙに並んだ画素ＰＸの各々におけるスイッチング素子ＳＷと電気的に接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。容量ＣＰは、例えば、共通電極ＣＥと同電位の電極、及び、画素電極ＰＥと同電位の電極の間に形成される。
【００４０】
配線基板Ｆ２は、第１基板ＳＵＢ１の実装部ＭＡに実装され、電気的に接続されている。ＩＣチップ１は、配線基板Ｆ２に実装され、配線基板Ｆ２に電気的に接続されている。なお、ＩＣチップ１は、実装部ＭＡに実装され、実装部ＭＡに電気的に接続されていてもよい。ＩＣチップ１は、例えば、画像表示に必要な信号を出力するディスプレイドライバなどを内蔵している。
【００４１】
図１０は、図９に示した液晶パネルＰＮＬの断面図である。  
図１０に示すように、第１基板ＳＵＢ１は、絶縁基板１０と、絶縁層１１及び１２と、共通電極ＣＥと、画素電極ＰＥと、配向膜ＡＬ１とを備えている。なお、図９に示した走査線Ｇ、信号線Ｓ及びスイッチング素子ＳＷは、例えば、絶縁基板１０と共通電極ＣＥとの間に位置している。絶縁基板１０は、ガラス基板や可撓性の樹脂基板などの透明基板である。絶縁層１１は、絶縁基板１０の上に位置している。共通電極ＣＥは、絶縁層１１の上方に位置し、絶縁層１２によって覆われている。画素電極ＰＥは、絶縁層１２の上に位置し、配向膜ＡＬ１によって覆われている。画素電極ＰＥの各々は、絶縁層１２を介して、共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。画素電極ＰＥは、線状電極であり、共通電極ＣＥは、複数の画素ＰＸに亘って共通に設けられた平板状の電極である。なお、画素電極ＰＥを平板状の電極とし、画素電極ＰＥと液晶層ＬＣとの間に線状の共通電極を設ける構造であってもよい。配向膜ＡＬ１は、液晶層ＬＣに接している。絶縁層１１は、詳述しないが、無機絶縁層及び有機絶縁層を含んでいる。絶縁層１２は、例えば、シリコン窒化物等の無機絶縁層である。
【００４２】
第２基板ＳＵＢ２は、絶縁基板２０と、カラーフィルタＣＦと、遮光層ＢＭと、透明層ＯＣと、配向膜ＡＬ２とを備えている。絶縁基板２０は、ガラス基板や可撓性の樹脂基板などの透明基板である。カラーフィルタＣＦ、遮光層ＢＭ、及び、透明層ＯＣは、絶縁基板２０と液晶層ＬＣとの間に位置している。配向膜ＡＬ２は、液晶層ＬＣに接している。透明層ＯＣは、カラーフィルタＣＦ及び遮光層ＢＭを覆っている。透明層ＯＣは、例えば、透明な有機絶縁層である。なお、図示した例では、カラーフィルタＣＦは、第２基板ＳＵＢ２に設けられたが、第１基板ＳＵＢ１に設けられてもよい。カラーフィルタＣＦは、赤カラーフィルタＣＦＲ、緑カラーフィルタＣＦＧ、及び、青カラーフィルタＣＦＢを含んでいる。緑カラーフィルタＣＦＧは、画素電極ＰＥと対向している。赤カラーフィルタＣＦＲ及び青カラーフィルタＣＦＢも、それぞれ図示しない他の画素電極ＰＥと対向している。
【００４３】
偏光板ＰＬ１、液晶パネルＰＮＬ及び偏光板ＰＬ２は、第３方向Ｚに沿ってこの順に配置され、第３方向Ｚに沿って進行する光に対して、光学的なスイッチ機能を備えた液晶素子ＬＣＤを構成している。偏光板ＰＬ１は絶縁基板１０に接着され、偏光板ＰＬ２は絶縁基板２０に接着されている。
【００４４】
ここでは、基板主面に沿った横電界を利用する表示モードに対応した液晶パネルＰＮＬについて説明したが、これに限らず、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの液晶パネルであってもよい。ここでの基板主面とは、Ｘ−Ｙ平面と平行な面である。
【００４５】
以上説明したように、本実施形態によれば、狭額縁化が可能な照明装置及びそれを組み込んだ表示装置を提供することができる。
【００４６】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４７】
ＤＳＰ…表示装置  ＰＮＬ…液晶パネル  ＩＬ…照明装置  ＣＳ…ケース
ＥＭ１…光源  ＬＧ…導光板  Ｆ１…配線基板  ＤＦ１…遮光両面テープ
ＴＰ…テープ  ＳＰ…スペーサ  Ｗ１〜Ｗ４…壁部  １Ｓ…側面  ＦＥ…端部
ＧＡ…間隙  ＷＦ…幅  Ｄ１…間隔
【図１】
2020201456.tif 000003
【図２】
2020201456.tif 000004
【図３】
2020201456.tif 000005
【図４】
2020201456.tif 000006
【図５】
2020201456.tif 000007
【図６】
2020201456.tif 000008
【図７】
2020201456.tif 000009
【図８】
2020201456.tif 000010
【図９】
2020201456.tif 000011
【図１０】
2020201456.tif 000012